(57)【特許請求の範囲】
【請求項１】
複数の自動改札機と監視盤とデータ集計機とから構成される自動改札システムにおいて、
上記自動改札機は、
当該自動改札機の状態が変化するごとに、その状態が変化した通知情報を上記データ集計機に送信する送信手段を有し、
上記データ集計機が、
上記送信手段から送信された状態変化通知情報を受信した際、当該自動改札機の変化した状態情報を保存する保存手段と、
所定時間間隔で、上記保存手段に保存されている全ての自動改札機の状態情報から所定の異常判断基準に基づいて正常稼動台数を算出する算出手段と、
この算出手段で算出された正常稼動台数と所定の最低稼動台数とを比較し、正常稼動台数が所定の最低稼動台数より少ない場合、正常稼動していない自動改札機の正常復帰処理を行う処理手段と、
を具備したことを特徴とする自動改札システム。
【請求項２】
複数の自動改札機と監視盤とデータ集計機とから構成される自動改札システムにおいて、
上記自動改札機は、
当該自動改札機の状態が変化するごとに、その状態変化通知電文を上記データ集計機に送信する送信手段を有し、
上記データ集計機が、
上記送信手段から送信された状態変化通知電文を受信した際、当該自動改札機の変化した状態情報を保存する保存手段と、
この保存手段に状態情報を保存した際、上記保存手段に保存されている全ての自動改札機の状態情報から所定の異常判断基準に基づいて正常稼動台数、回復可能異常台数、異常台数を算出する算出手段と、
この算出手段で算出された正常稼動台数と所定の最低稼動台数とを比較し、正常稼動台数が所定の最低稼動台数より少ない場合、上記回復可能異常台数として算出された自動改札機の正常復帰処理を行う処理手段と、
を具備したことを特徴とする自動改札システム。
【請求項３】
複数の自動改札機と監視盤とデータ集計機とから構成される自動改札システムにおいて、
上記データ集計機が、
上記複数の自動改札機のいずれかの自動改札機から送信される当該自動改札機の状態が変化した通知電文を受信した際、当該自動改札機の変化した状態情報を保存する保存手段と、
この保存手段に状態情報を保存した際、上記保存手段に保存されている全ての自動改札機の状態情報から所定の異常判断基準に基づいて正常稼動台数、回復可能異常台数、異常台数を算出する算出手段と、
この算出手段で算出された正常稼動台数と所定の最低稼動台数とを比較し、正常稼動台数が所定の最低稼動台数より少ない場合、上記回復可能異常台数として算出された自動改札機へ正常復帰電文を送信する処理を行う処理手段とを有し、
上記自動改札機が、
上記処理手段により送信された当該自動改札機への正常復帰電文を受信した際、直ちに正常状態に復帰する制御を行う制御手段と、
を具備したことを特徴とする自動改札システム。
【請求項４】
複数の自動改札機と監視盤とデータ集計機とから構成される自動改札システムにおいて、
上記自動改札機が、
当該自動改札機の状態が変化した際、その状態変化通知電文を上記データ集計機に送信する送信手段を有し、
上記データ集計機が、
予め上記複数の自動改札機における異常により稼動しない自動改札機の発生に対する最低稼動台数と、上記自動改札機で発生する異常内容を判断する異常判断情報とを保存する第１の保存手段と、
上記送信手段から送信される状態変化通知電文を受信した際、当該自動改札機の変化した状態情報を保存する第２の保存手段と、
この第２の保存手段に状態情報を保存した際、または所定時間間隔で、上記第２の保存手段に保存されている全ての自動改札機の状態情報から上記第１の保存手段に保存されている異常判断情報に基づいて正常稼動台数、回復可能異常台数、異常台数を算出する算出手段と、
この算出手段で算出された正常稼動台数と上記第１の保存手段に保存されている最低稼動台数とを比較し、正常稼動台数が所定の最低稼動台数より少ない場合、上記回復可能異常台数として算出された自動改札機へ正常復帰電文を送信する処理を行う処理手段とを有し、
上記自動改札機が、
上記処理手段により送信された当該自動改札機への正常復帰電文を受信した際、直ちに正常状態に復帰する制御を行う制御手段と、
を具備したことを特徴とする自動改札システム。
【請求項５】
複数の自動改札機と監視盤とデータ集計機とから構成される自動改札システムの自動復帰方法であって、
上記複数の自動改札機のいずれかの自動改札機の状態が変化した際、当該自動改札機が当該自動改札機の状態が変化した通知情報を上記データ集計機に送信し、上記データ集計機が、上記送信された状態変化通知情報を受信した際、当該自動改札機の変化した状態情報を保存し、所定時間間隔で保存されている全ての自動改札機の状態情報から所定の異常判断基準に基づいて正常稼動台数を算出し、この算出された正常稼動台数と所定の最低稼動台数とを比較し、正常稼動台数が所定の最低稼動台数より少ない場合、正常稼動していない自動改札機の正常復帰処理を行うようにしたことを特徴とする自動復帰方法。
【請求項６】
複数の自動改札機と監視盤とデータ集計機とから構成される自動改札システムの自動復帰方法であって、
上記複数の自動改札機のいずれかの自動改札機の状態が変化した際、当該自動改札機が当該自動改札機の状態が変化した通知情報を上記データ集計機に送信し、上記データ集計機が、上記送信された状態変化通知情報を受信した際、当該自動改札機の変化した状態情報を保存し、この状態情報を保存した際、上記保存されている全ての自動改札機の状態情報から所定の異常判断基準に基づいて正常稼動台数、回復可能異常台数、異常台数を算出し、この算出された正常稼動台数と所定の最低稼動台数とを比較し、正常稼動台数が所定の最低稼動台数より少ない場合、上記回復可能異常台数として算出された自動改札機の正常復帰処理を行うようにしたことを特徴とする自動復帰方法。
【請求項７】
複数の自動改札機と監視盤とデータ集計機とから構成される自動改札システムの自動復帰方法であって、
上記データ集計機が、上記複数の自動改札機のいずれかの自動改札機から送信される当該自動改札機の状態が変化した通知電文を受信した際、当該自動改札機の変化した状態情報を保存し、この状態情報を保存した際、上記保存されている全ての自動改札機の状態情報から所定の異常判断基準に基づいて正常稼動台数、回復可能異常台数、異常台数を算出し、この算出された正常稼動台数と所定の最低稼動台数とを比較し、正常稼動台数が所定の最低稼動台数より少ない場合、上記回復可能異常台数として算出された自動改札機へ正常復帰電文を送信する処理を行い、この送信された正常復帰電文を当該自動改札機が受信した際、当該自動改札機において直ちに正常状態に復帰する制御を行うようにしたことを特徴とする自動復帰方法。
【請求項８】
複数の自動改札機と監視盤とデータ集計機とから構成される自動改札システムの自動復帰方法であって、
上記複数の自動改札機のいずれかの自動改札機の状態が変化した際、当該自動改札機の状態変化通知電文を上記データ集計機に送信し、上記データ集計機が、予め上記複数の自動改札機における異常により稼動しない自動改札機の発生に対する最低稼動台数と上記自動改札機の異常内容を判断する異常判断情報とを保存し、上記送信される状態変化通知電文を受信した際、当該自動改札機の変化した状態情報を保存し、この状態情報を保存した際、または所定時間間隔で、上記保存されている全ての自動改札機の状態情報から上記保存されている異常判断情報に基づいて正常稼動台数、回復可能異常台数、異常台数を算出し、この算出された正常稼動台数と上記保存されている最低稼動台数とを比較し、正常稼動台数が所定の最低稼動台数より少ない場合、上記回復可能異常台数として算出された自動改札機へ正常復帰電文を送信し、この送信された正常復帰電文を当該自動改札機が受信した際、当該自動改札機において直ちに正常状態に復帰する制御を行うようにしたことを特徴とする自動復帰方法。
【発明の詳細な説明】
【０００１】
【発明の属する技術分野】
この発明は、複数の自動改札機と監視盤とデータ集計機とから構成される自動改札システムと自動復帰方法に関する。
【０００２】
【従来の技術】
自動改札機は、無札による強行突破や、小児違反（小児券違反）等で強行突破されたとき、３０秒から１分程度警報を鳴らし、ドアを閉じて通行を遮断する。同時に複数の通路（自動改札機）で強行突破されたときは、その自動改札機すべてが３０秒から１分程度使えなくなる。そうなると正常な乗客（利用者）も通行ができなくなり、不便であった。
【０００３】
また、全ての自動改札機が全く通れなくなると、正常な利用者でも待ちきれずに強行突破し、さらに使えなくなる時間が延長するといったように悪循環となる。
【０００４】
災害時等で、他社線からの振り替え乗車等が発生した場合、無札の人や非磁気化券である振り替え乗車証を自動改札機に投入したりして、強行突破以外の異常等が発生する頻度が高くなり、上記と同様に正常な乗客（利用者）が通行できなくなることがある。
【０００５】
例えば、大雨等の災害で、列車の遅延または間引き運転が開始されると、駅構内は混雑することになる。そして、振り替え輸送の乗客でさらに駅が混雑するといった状態に陥る。複数の路線が存在する駅などでは、１つの路線がこのような状態になると、正常に運転をしている路線の乗客まで混雑により駅の利用に支障がでてくる。
【０００６】
このような状況下では、次のような事象が発生する。いつもであれば正常に改札を利用することができるが、混雑時には振り替え乗車利用者等により、きっぷや定期券の入れ間違いやひどい場合には自動改札機を強行突破されることが特に多くなる。
【０００７】
一方、一旦自動改札機を強行突破されると、その自動改札機は３０秒から１分程度警報を鳴動させ、ドアを閉じ、後続の乗客が利用できない状態となる。
【０００８】
混雑時に自動改札機を利用できなくなった乗客は、他の稼働中の自動改札機に殺到することになる。災害時等の状況下では、自動改札機が自動復帰（３０秒〜１分）するのを待ちきれない乗客が出てくる。さらに自動改札機を強行突破するといった事態になり、どんどん稼働している自動改札機が減少し、ほとんどすべてが警報を鳴動させドアを閉じた状態となり、最悪、全く通過できなくなる。一種のパニック状態となる。
【０００９】
【発明が解決しようとする課題】
上記したように、災害時等で、他社線からの振り替え乗車等が発生した場合、無札の人や非磁気化券である振り替え乗車証を自動改札機に投入したりして、強行突破以外の異常等が発生して多くの自動改札機が異常状態となって通過できなくなり、改札処理が円滑に行うことができなくなるという問題があった。
【００１０】
そこで、この発明は、多くの自動改札機が異常状態となって通過できなくなった際に改札処理を円滑に行うことのできる自動改札システムと自動復帰方法を提供することを目的とする。
【００１１】
【課題を解決するための手段】
この発明の自動改札システムは、複数の自動改札機と監視盤とデータ集計機とから構成される自動改札システムにおいて、上記自動改札機は、当該自動改札機の状態が変化するごとに、その状態が変化した通知情報を上記データ集計機に送信する送信手段を有し、上記データ集計機が、上記送信手段から送信された状態変化通知情報を受信した際、当該自動改札機の変化した状態情報を保存する保存手段と、所定時間間隔で、上記保存手段に保存されている全ての自動改札機の状態情報から所定の異常判断基準に基づいて正常稼動台数を算出する算出手段と、この算出手段で算出された正常稼動台数と所定の最低稼動台数とを比較し、正常稼動台数が所定の最低稼動台数より少ない場合、正常稼動していない自動改札機の正常復帰処理を行う処理手段とから構成されている。
【００１２】
この発明の自動改札システムは、複数の自動改札機と監視盤とデータ集計機とから構成される自動改札システムにおいて、上記自動改札機は、当該自動改札機の状態が変化するごとに、その状態変化通知電文を上記データ集計機に送信する送信手段を有し、上記データ集計機が、上記送信手段から送信された状態変化通知電文を受信した際、当該自動改札機の変化した状態情報を保存する保存手段と、この保存手段に状態情報を保存した際、上記保存手段に保存されている全ての自動改札機の状態情報から所定の異常判断基準に基づいて正常稼動台数、回復可能異常台数、異常台数を算出する算出手段と、この算出手段で算出された正常稼動台数と所定の最低稼動台数とを比較し、正常稼動台数が所定の最低稼動台数より少ない場合、上記回復可能異常台数として算出された自動改札機の正常復帰処理を行う処理手段とから構成されている。
【００１３】
この発明の自動改札システムは、複数の自動改札機と監視盤とデータ集計機とから構成される自動改札システムにおいて、上記データ集計機が、上記複数の自動改札機のいずれかの自動改札機から送信される当該自動改札機の状態が変化した通知電文を受信した際、当該自動改札機の変化した状態情報を保存する保存手段と、この保存手段に状態情報を保存した際、上記保存手段に保存されている全ての自動改札機の状態情報から所定の異常判断基準に基づいて正常稼動台数、回復可能異常台数、異常台数を算出する算出手段と、この算出手段で算出された正常稼動台数と所定の最低稼動台数とを比較し、正常稼動台数が所定の最低稼動台数より少ない場合、上記回復可能異常台数として算出された自動改札機へ正常復帰電文を送信する処理を行う処理手段とを有し、上記自動改札機が、上記処理手段により送信された当該自動改札機への正常復帰電文を受信した際、直ちに正常状態に復帰する制御を行う制御手段とから構成されている。
【００１４】
この発明の自動改札システムは、複数の自動改札機と監視盤とデータ集計機とから構成される自動改札システムにおいて、上記自動改札機が、当該自動改札機の状態が変化した際、その状態変化通知電文を上記データ集計機に送信する送信手段を有し、上記データ集計機が、予め上記複数の自動改札機における異常により稼動しない自動改札機の発生に対する最低稼動台数と、上記自動改札機で発生する異常内容を判断する異常判断情報とを保存する第１の保存手段と、上記送信手段から送信される状態変化通知電文を受信した際、当該自動改札機の変化した状態情報を保存する第２の保存手段と、この第２の保存手段に状態情報を保存した際、または所定時間間隔で、上記第２の保存手段に保存されている全ての自動改札機の状態情報から上記第１の保存手段に保存されている異常判断情報に基づいて正常稼動台数、回復可能異常台数、異常台数を算出する算出手段と、この算出手段で算出された正常稼動台数と上記第１の保存手段に保存されている最低稼動台数とを比較し、正常稼動台数が所定の最低稼動台数より少ない場合、上記回復可能異常台数として算出された自動改札機へ正常復帰電文を送信する処理を行う処理手段とを有し、上記自動改札機が、上記処理手段により送信された当該自動改札機への正常復帰電文を受信した際、直ちに正常状態に復帰する制御を行う制御手段とから構成されている。
【００１５】
この発明の自動復帰方法は、複数の自動改札機と監視盤とデータ集計機とから構成される自動改札システムの自動復帰方法であって、上記複数の自動改札機のいずれかの自動改札機の状態が変化した際、当該自動改札機が当該自動改札機の状態が変化した通知情報を上記データ集計機に送信し、上記データ集計機が、上記送信された状態変化通知情報を受信した際、当該自動改札機の変化した状態情報を保存し、所定時間間隔で保存されている全ての自動改札機の状態情報から所定の異常判断基準に基づいて正常稼動台数を算出し、この算出された正常稼動台数と所定の最低稼動台数とを比較し、正常稼動台数が所定の最低稼動台数より少ない場合、正常稼動していない自動改札機の正常復帰処理を行うようにしたことを特徴とする。
【００１６】
この発明の自動復帰方法は、複数の自動改札機と監視盤とデータ集計機とから構成される自動改札システムの自動復帰方法であって、上記複数の自動改札機のいずれかの自動改札機の状態が変化した際、当該自動改札機が当該自動改札機の状態が変化した通知情報を上記データ集計機に送信し、上記データ集計機が、上記送信された状態変化通知情報を受信した際、当該自動改札機の変化した状態情報を保存し、この状態情報を保存した際、上記保存されている全ての自動改札機の状態情報から所定の異常判断基準に基づいて正常稼動台数、回復可能異常台数、異常台数を算出し、この算出された正常稼動台数と所定の最低稼動台数とを比較し、正常稼動台数が所定の最低稼動台数より少ない場合、上記回復可能異常台数として算出された自動改札機の正常復帰処理を行うようにしたことを特徴とする。
【００１７】
この発明の自動復帰方法は、複数の自動改札機と監視盤とデータ集計機とから構成される自動改札システムの自動復帰方法であって、上記データ集計機が、上記複数の自動改札機のいずれかの自動改札機から送信される当該自動改札機の状態が変化した通知電文を受信した際、当該自動改札機の変化した状態情報を保存し、この状態情報を保存した際、上記保存されている全ての自動改札機の状態情報から所定の異常判断基準に基づいて正常稼動台数、回復可能異常台数、異常台数を算出し、この算出された正常稼動台数と所定の最低稼動台数とを比較し、正常稼動台数が所定の最低稼動台数より少ない場合、上記回復可能異常台数として算出された自動改札機へ正常復帰電文を送信する処理を行い、この送信された正常復帰電文を当該自動改札機が受信した際、当該自動改札機において直ちに正常状態に復帰する制御を行うようにしたことを特徴とする。
【００１８】
この発明の自動復帰方法は、複数の自動改札機と監視盤とデータ集計機とから構成される自動改札システムの自動復帰方法であって、上記複数の自動改札機のいずれかの自動改札機の状態が変化した際、当該自動改札機の状態変化通知電文を上記データ集計機に送信し、上記データ集計機が、予め上記複数の自動改札機における異常により稼動しない自動改札機の発生に対する最低稼動台数と上記自動改札機の異常内容を判断する異常判断情報とを保存し、上記送信される状態変化通知電文を受信した際、当該自動改札機の変化した状態情報を保存し、この状態情報を保存した際、または所定時間間隔で、上記保存されている全ての自動改札機の状態情報から上記保存されている異常判断情報に基づいて正常稼動台数、回復可能異常台数、異常台数を算出し、この算出された正常稼動台数と上記保存されている最低稼動台数とを比較し、正常稼動台数が所定の最低稼動台数より少ない場合、上記回復可能異常台数として算出された自動改札機へ正常復帰電文を送信し、この送信された正常復帰電文を当該自動改札機が受信した際、当該自動改札機において直ちに正常状態に復帰する制御を行うようにしたことを特徴とする。
【００１９】
【発明の実施の形態】
以下、この発明の一実施の形態について図面を参照して説明する。
【００２０】
図１は、この発明に係る自動改札システムの概略構成を示すものである。
【００２１】
自動改札システムは、データ集計機１に監視盤２と複数の自動改札機３とが通信回線を介して接続されて構成されている。複数の自動改札機３は、１号機、２号機、…ｎ号機として識別されている。また、通信回線を接続することによって自動改札機３と監視盤２またはデータ集計機１が相互に通信することができる。
【００２２】
図２は、データ集計機１の概略構成を示すものである。データ集計機１は、全体の制御を司るＣＰＵ１０、制御プログラムを記憶しているＲＯＭ１１、データを一時記憶するＲＡＭ１２、メモリ１３、ハードディスク装置（ＨＤＤ）１４、及び監視盤２と複数の自動改札機３と通信回線を介して接続するためのインタフェース（Ｉ／Ｆ）１５とから構成されている。
【００２３】
次に、このような構成において、この発明の自動改札システムの動作を図３のフローチャートを参照して説明する。
【００２４】
データ集計機１は、予めメモリ１３に設定されている設定情報から、初期処理として複数の自動改札機３における最低稼動台数を読み込む（ＳＴ１）。
【００２５】
各自動改札機３は、常時、状態が変化するごとに、その状態変化通知電文をデータ集計機１に送信する。
【００２６】
データ集計機１のＣＰＵ１０は、インタフェース１５を介して、常時、各自動改札機３からの状態変化通知電文を受信する（ＳＴ２）。
【００２７】
データ集計機１のＣＰＵ１０は、自動改札機３からの状態変化通知電文を受信した際（ＳＴ３）、その通知された状態変化を自動改札機３の号機ごとに状態情報としてメモリ１３に保存する（ＳＴ４）。異常としての状態には、強行突破、小児違反等各種存在する。なお、メモリ１３ではなくハードディスク装置１４を用いても良く、両方を用いるようにしても良い。
【００２８】
さらに、データ集計機１のＣＰＵ１０は、いづれかの自動改札機３の状態が変化する都度、または一定時間間隔でコーナ（改札口、集札口といったかたまり）やスパン（駅の柱から柱の間の自動改札機３のかたまり）といった単位で、最新の自動改札機３の全号機の状態情報をメモリ１３から読み込む（ＳＴ５）。
【００２９】
図４の（ａ）は、メモリ１３から読み込んだ状態情報の例を示すものである。図において、自動改札機３の１号機はジャム状態であり、２号機は無札通過状態であり、ｎ号機は正常稼働中である。
【００３０】
続いて、データ集計機１のＣＰＵ１０は、予めメモリ１３に設定されている設定情報から、異常判断情報を読み込む（ＳＴ６）。
【００３１】
図４の（ｂ）は、メモリ１３から読み込んだ異常判断情報の例を示すものである。図において、自動改札機３の状態内容が、正常稼働中の場合は正常と判断し、電源断の場合は異常と判断し、無札通過の場合は回復可能異常と判断し、ジャムの場合は異常と判断し、小児違反の場合は回復可能異常と判断し、その他の場合は異常と判断する。
【００３２】
データ集計機１のＣＰＵ１０は、この全号機の状態情報と予め設定されている異常判断情報とから各自動改札機３が正常、異常、回復可能異常かを判断し・判断結果情報を算出し、メモリ１３に保存する（ＳＴ７）。
【００３３】
図４の（ｃ）は、メモリ１３に保存された判断結果情報の例を示すものである。図において、自動改札機３の１号機は異常、２号機は回復可能異常、ｎ号機は正常と判断されている。
【００３４】
図４の（ｄ）は、判断結果サマリの例を示すものである。図において、正常稼動台数１台、回復可能異常台数４台、異常台数１台である。
【００３５】
ここで、データ集計機１のＣＰＵ１０は、判断結果としての正常稼動台数とステップＳＴ１で読み込んだ最低稼動台数とを比較する（ＳＴ８）。
【００３６】
図４の（ｅ）は、設定情報としての最低稼動台数の例を示すものである。図においては、最低稼動台数は２台となっている。
【００３７】
ステップＳＴ８においてデータ集計機１のＣＰＵ１０は、比較結果が「最低稼動台数＞正常稼動台数」であった場合、つまり図４の（ｆ）に示すように正常稼動台数が最低稼動台数を下回った場合、回復可能異常の自動改札機３をメモリ１３に保存されている判断結果情報から号機を特定し（ＳＴ９）、図４の（ｇ）に示すように特定した号機の自動改札機３に対して正常復帰処理を行う（ＳＴ１０）。
【００３８】
すなわち、ステップＳＴ８においては、異常となった自動改札機３が多すぎて自動改札の通行に支障がでると判断された場合、ステップＳＴ９，１０において回復可能異常の自動改札機３に対して正常復帰電文を送信することにより、回復可能異常の自動改札機３を直ちに正常状態に復帰させる。
【００３９】
自動改札機３は、データ集計機１から送信された「正常復帰電文」を受信した際、警報を鳴動させドアを閉じている状態でも、すぐさま正常状態に復帰する。この場合、当然状態が変化したので当該自動改札機３は、再び状態変化通知電文をデータ集計機１に送信する。
【００４０】
常時、各自動改札機３とデータ集計機１とが、このような電文のやりとりを行うことにより、自動改札機３の多数の号機が異常状態になって自動改札の通過に支障が出てきても自動的に復帰するシステムを実現することができる。
【００４１】
なお、上記実施例では、複数の自動改札機３とデータ集計機１との間で自動復帰を制御したが、複数の自動改札機３と監視盤２との間で自動復帰を制御するようにしても良い。
【００４２】
また、上記実施例では、最低稼動台数を用いて正常復帰処理を行う判断基準としてが、全台数に対する正常稼動台数の割合で判断するようにしても良い。例えば、正常稼動台数が３０％以下となった際に正常復帰処理を行うようにする。
【００４３】
図５は、図１に示した自動改札システムと異なる構成例を示すものである。各自動改札機３からの状態変化通知電文は、監視盤２を介してデータ集計機１へ送信される。データ集計機１からの正常復帰電文も、監視盤２を介して各自動改札機３へ送信される。なお、このような構成においても、複数の自動改札機３とデータ集計機１との間で自動復帰を制御しても良く、複数の自動改札機３と監視盤２との間で自動復帰を制御するようにしても良い。
【００４４】
以上説明したように上記発明の実施の形態によれば、無札による強行突破や小児違反等で、同時に複数の自動改札機（通路）で強行突破された場合、その自動改札機すべてが３０秒から１分程度使えなくなり、多数の自動改札機が正常に回復可能な異常状態で改札処理ができなくなった場合に直ちに正常な状態に復帰して円滑な改札処理を継続することができる。
【００４５】
【発明の効果】
以上詳述したようにこの発明によれば、多くの自動改札機が異常状態となって通過できなくなった際に改札処理を円滑に行うことのできる自動改札システムと自動復帰方法を提供することができる。
【図面の簡単な説明】
【図１】この発明に係る自動改札システムの概略構成を示す図。
【図２】データ集計機の概略構成を示すブロック図。
【図３】自動改札システムの動作を説明するためのフローチャート。
【図４】自動改札機の異常状態を回復するための各情報を説明するための図。
【図５】自動改札システムの他の構成例を示す図。
【符号の説明】
１…データ集計機
２…監視盤
３…自動改札機
１０…ＣＰＵ
１１…ＲＯＭ
１２…ＲＡＭ
１３…メモリ
１４…ハードディスク装置
１５…インタフェース
【図１】
0003715500.tif 000002
【図２】
0003715500.tif 000003
【図３】
0003715500.tif 000004
【図４】
0003715500.tif 000005
【図５】
0003715500.tif 000006